(57)【要約】【課題】表示装置間の非表示領域の視認が大幅に低減され、画像の連続性が高く、良好な画像を表示可能な配列型表示装置を提供する。【解決手段】配列型表示装置１００は、複数の表示装置１０Ａ〜１０Ｄを配列して形成され、複数の表示装置１０Ａ〜１０Ｄは、それぞれ、観察者側に透明板２０Ａ〜２０Ｄを備えるものとした。この透明板２０Ａ〜２０Ｄは、隣り合う透明板と接して配置され、表示装置１０Ａ〜１０Ｄ側の面であって、表示部１１Ａ〜１１Ｄの非表示部１２Ａ〜１２Ｄに近接する外周部に相当する位置に設けられ、表示部１１Ａ〜１１Ｄから出射した光の少なくとも一部を非表示部１２Ａ〜１２Ｄ側に偏向させる入光側偏向部２４Ａ〜２４Ｄと、観察者側の面の外周部であって、少なくとも非表示部１２Ａ〜１２Ｄに相当する位置に設けられ、光を表示部１１Ａ〜１１Ｄの中心側に偏向させて出光する出光側偏向部２２Ａ〜２２Ｄとを備えるものとした。【選択図】図１
2013200495.tif 000002
【特許請求の範囲】
【請求項１】
複数の表示装置を配列して形成された配列型表示装置であって、
前記複数の表示装置は、それぞれ、画像を表示可能な表示部の外周側に画像を表示しない非表示部を有し、
前記複数の表示装置は、それぞれ、前記表示部より観察者側に、前記表示部及び前記非表示部を被覆する透明板を備え、
前記各透明板は、
隣り合う透明板と接して配置され、
前記表示装置側の面であって、前記表示装置の正面方向から見て前記表示部の前記非表示部に近接する外周部に相当する位置に設けられ、前記表示部から出射した光の少なくとも一部を前記非表示部側に偏向させる入光側偏向部と、
観察者側の面の外周部であって、前記表示装置の正面方向から見て少なくとも前記非表示部に相当する位置に設けられ、前記光を前記表示部の中心側に偏向させて出光する出光側偏向部と、
を備えること、
を特徴とする配列型表示装置。
【請求項２】
請求項１に記載の配列型表示装置において、
前記出光側偏向部は、観察者側に凸となる曲面、又は、複数の斜面から形成されており、
前記出光側偏向部は、前記透明板の内周側に比べて外周側が前記透明板の厚み方向において前記表示装置側に位置し、前記曲面の接平面、又は、前記斜面が前記表示部の表示面となす角度が、外周側に向かうにつれてしだいに大きくなり、
前記出光側偏向部から出射する光の少なくとも一部は、前記表示部の表示面に対して垂直な方向に進むこと、
を特徴とする配列型表示装置。
【請求項３】
請求項１又は請求項２に記載の配列型表示装置において、
前記入光側偏向部は、観察者側に凸となる曲面、又は、複数の斜面から形成されており、
前記入光側偏向部は、前記透明板の内周側に比べて外周側が前記透明板の厚み方向において前記表示装置側に位置し、前記曲面の接平面、又は、前記斜面が前記表示部の表示面となす角度が、外周側に向かうにつれてしだいに大きくなること、
を特徴とする配列型表示装置。
【請求項４】
請求項１から請求項３までのいずれか１項に記載の配列型表示装置において、
前記出光側偏向部の幅をＷ１とし、前記入光側偏向部の幅をＷ２とするとき、
前記表示部の正面方向から見て、前記入光側偏向部に対応する前記表示部の領域に表示される画像は、前記領域以外の前記表示部の領域に表示される画像に対して、Ｗ２／Ｗ１倍に縮小されていること、
を特徴とする配列型表示装置。
【請求項５】
請求項４に記載の配列型表示装置において、
前記領域に表示される画像の輝度は、前記領域以外の前記表示部の領域が表示する画像の輝度のＷ１／Ｗ２倍になっていること、
を特徴とする配列型表示装置。
【請求項６】
請求項１から請求項５までのいずれか１項に記載の配列型表示装置において、
前記透明板の側面及び前記表示部の表示面に直交する断面において、
前記透明板の厚み方向において、前記出光側偏向部の最も前記表示装置側となる点を点Ｔ１とし、
前記入光側偏向部の最も外周側となる点を点Ｔ２とし、
前記点Ｔ２を通り前記表示部の表示面に平行な平面と、前記点Ｔ１を通り前記表示部の表示面に垂直な直線との交点を点Ｔ３とし、
前記点Ｔ１と前記点Ｔ３の距離をＨとし、
前記点Ｔ２と前記点Ｔ３の距離をＷとし、
前記点Ｔ２へ入射した光が、前記透明板内を透過して前記点Ｔ１から前記表示部の表示面の法線方向へ出射するときに、前記光が前記透明板内において前記表示面に平行な面となす角度をθ（０°≦θ≦９０°）とするときに、
Ｈ＝Ｗ×ｔａｎθ
という関係を満たすこと、
を特徴とする配列型表示装置。
【発明の詳細な説明】
【技術分野】
【０００１】
本発明は、複数の表示装置を配列して表示画面を形成する配列型表示装置に関するものである。
【背景技術】
【０００２】
背面投射型表示装置、プラズマ表示装置、液晶表示装置、有機ＥＬ（Ｅｌｅｃｔｒｏ−Ｌｕｍｉｎｅｓｃｅｎｃｅ）（有機ＬＥＤ（ｌｉｇｈｔ−ｅｍｉｔｔｉｎｇ  ｄｉｏｄｅ））表示装置等を配列して、画面サイズを拡大した配列型表示装置は、数十インチ以上の大型の表示画面が必要なデジタルサイネイジや制御監視等に広く用いられている。
このような配列型表示装置に関しては、より良好な画像を表示するために、その画面の耐候性や画面の平面性、視認性の向上等が図られている（例えば、特許文献１，２参照）。
【先行技術文献】
【特許文献】
【０００３】
【特許文献１】特開２００７−１９２９７７号公報
【特許文献２】特開２０００−１２２５７１号公報
【発明の概要】
【発明が解決しようとする課題】
【０００４】
しかし、例えば、背面投射型表示装置では、背面投射型スクリーンを保持するための枠構造が必要であり、プラズマ表示装置、液晶表示装置、有機ＥＬ表示装置では、表示装置の表示部がガラス製のパネルであるので、パネルを保持するための枠構造が必要である。
そのため、これらの枠構造等によって、いずれの表示装置においても表示装置の周辺部に画像の表示できない非表示領域が生じる。そして、これらを平面上に配列して配列型表示装置を構成すると、表示装置間に、画像の表示できない非表示領域によって枠状の継目部分（目地部分）ができてしまう。この表示装置間の継目部分は、映像が表示されないため、画像の連続性が低下してその画質が低下する等の問題がある。
プラズマ表示装置、液晶表示装置、有機ＬＥＤ表示装置等では、表示部のパネルの端面に保持部材を接着して保持部材の幅をできるだけ狭くして、非表示領域を小さくすることも考えられている。しかし、これらの表示装置では周辺部に電極を配置しなければならないので、そのような構成としても非表示領域が数ミリ程度生じてしまい、画像の連続性は改善されない。
【０００５】
特許文献１では、継目部分の上に、有機ＬＥＤを配置するという手法が開示されている。しかし、有機ＬＥＤの周辺部には電極が必要なので、実際には、その電極部分が非表示領域となってしまう。また、特許文献１に開示される構成は、構造が複雑であり、生産コストの増加を招く。
また、特許文献２では、ＦＥＤ（Ｆｉｅｌｄ  Ｅｍｉｓｓｉｏｎ  Ｄｉｓｐｌａｙ）等の電極及び配線を工夫し、非表示領域となる継目部分の幅を小さくする手法が開示されている。しかし、封着剤や側面接続配線等によって生じる非表示領域が存在するため、画面の連続性の改善は不十分である。
【０００６】
本発明の課題は、表示装置間の非表示領域の視認が大幅に低減され、画像の連続性が高く、良好な画像を表示可能な配列型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、複数の表示装置（１０Ａ〜１０Ｄ）を配列して形成された配列型表示装置であって、前記複数の表示装置は、それぞれ、画像を表示可能な表示部（１１Ａ〜１１Ｄ）の外周側に画像を表示しない非表示部（１２Ａ〜１２Ｄ）を有し、前記複数の表示装置は、それぞれ、前記表示部より観察者側に、前記表示部及び前記非表示部を被覆する透明板（２０Ａ〜２０Ｄ）を備え、前記各透明板は、隣り合う透明板と接して配置され、前記表示装置側の面であって、前記表示装置の正面方向から見て前記表示部の前記非表示部に近接する外周部に相当する位置に設けられ、前記表示部から出射した光の少なくとも一部を前記非表示部側に偏向させる入光側偏向部（２４Ａ〜２４Ｄ，４４Ａ）と、観察者側の面の外周部であって、前記表示装置の正面方向から見て少なくとも前記非表示部に相当する位置に設けられ、前記光を前記表示部の中心側に偏向させて出光する出光側偏向部（２２Ａ〜２２Ｄ，４２Ａ）と、を備えること、を特徴とする配列型表示装置（１００）である。
請求項２の発明は、請求項１に記載の配列型表示装置において、前記出光側偏向部（２２Ａ〜２２Ｄ，４２Ａ）は、観察者側に凸となる曲面、又は、複数の斜面から形成されており、前記出光側偏向部は、前記透明板の内周側に比べて外周側が厚み方向において前記表示装置（１０Ａ〜１０Ｄ）側に位置し、前記曲面の接平面、又は、前記斜面が前記表示部の表示面となす角度が、外周側に向かうにつれてしだいに大きくなり、前記出光側偏向部から出射する光の少なくとも一部は、前記表示部の表示面に対して垂直な方向に進むこと、を特徴とする配列型表示装置（１００）である。
請求項３の発明は、請求項１又は請求項２に記載の配列型表示装置において、前記入光側偏向部（２４Ａ〜２４Ｄ，４４Ｄ）は、観察者側に凸となる曲面、又は、複数の斜面から形成されており、前記入光側偏向部は、前記透明板の内周側に比べて外周側が厚み方向において前記表示装置（１０Ａ〜１０Ｄ）側に位置し、前記曲面の接平面、又は、前記斜面が前記表示部の表示面となす角度が、外周側に向かうにつれてしだいに大きくなること、を特徴とする配列型表示装置（１００）である。
【０００８】
請求項４の発明は、請求項１から請求項３までのいずれか１項に記載の配列型表示装置において、前記出光側偏向部（２２Ａ〜２２Ｄ，４２Ａ）の幅をＷ１とし、前記入光側偏向部の幅をＷ２とするとき、前記表示部（１１Ａ〜１１Ｄ）の正面方向から見て、前記表示部の前記入光側偏向部（２４Ａ〜２４Ｄ，４４Ｄ）に対応する領域（Ａ）に表示される画像は、前記領域以外の前記表示部の領域に表示される画像に対して、Ｗ２／Ｗ１倍に縮小されていること、を特徴とする配列型表示装置（１００）である。
請求項５の発明は、請求項４に記載の配列型表示装置において、前記領域（Ａ）に表示される画像の輝度は、前記領域以外の前記表示部の領域が表示する画像の輝度のＷ１／Ｗ２倍になっていること、を特徴とする配列型表示装置（１００）である。
請求項６の発明は、請求項１から請求項５までのいずれか１項に記載の配列型表示装置において、前記透明板（２０Ａ〜２０Ｄ）の側面及び前記表示部（１１Ａ〜１１Ｄ）の表示面に直交する断面において、前記透明板の厚み方向において、前記出光側偏向部（２２Ａ〜２２Ｄ，４２Ｄ）の最も前記表示装置側となる点を点Ｔ１とし、前記入光側偏向部（２４Ａ〜２４Ｄ，４４Ｄ）の最も外周側となる点を点Ｔ２とし、前記点Ｔ２を通り前記表示部の表示面に平行な平面と、前記点Ｔ１を通り前記表示部の表示面に垂直な直線との交点を点Ｔ３とし、前記点Ｔ１と前記点Ｔ３の距離をＨとし、前記点Ｔ２と前記点Ｔ３の距離をＷとし、前記点Ｔ２へ入射した光が、前記透明板内を透過して前記点Ｔ１から前記表示部の表示面の法線方向へ出射するときに、前記光が前記透明板内において前記表示面に平行な面となす角度をθ（０°≦θ≦９０°）とするときに、Ｈ＝Ｗ×ｔａｎθという関係を満たすこと、を特徴とする配列型表示装置（１００）である。
【発明の効果】
【０００９】
本発明によれば、表示装置間の非表示領域の視認が大幅に低減され、画像の連続性が高く、良好な画像を表示できる。また、このような良好な画像を表示できる配列型表示装置を簡易に構成することができる。
【図面の簡単な説明】
【００１０】
【図１】実施形態の配列型表示装置１００を説明する図である。
【図２】実施形態の配列型表示装置１００が備える表示装置１０Ａ及び透明板２０Ａを説明する図である。
【図３】実施形態の配列型表示装置１００の断面図である。
【図４】実施形態の出光側偏向部２２Ａ及び入光側偏向部２４Ａの形状について詳しく説明する図である。
【図５】実施形態の透明板２０Ａの外周側端部における寸法Ｈを説明する図である。
【図６】実施形態の出光側偏向部２２Ａに表示される画像の拡大率について説明する図である。
【図７】実施形態の出光側偏向部２２Ａ及び入光側偏向部２４Ａの設計方法を説明する図である。
【図８】別の実施形態の配列型表示装置１００を説明する図である。
【図９】透明板２０Ａ〜２０Ｄの変形形態を示す図である。
【図１０】配列型表示装置１００の変形形態を説明する図である。
【図１１】従来の配列型表示装置９０を示す斜視図である。
【図１２】従来の配列型表示装置９０に用いられる表示装置９０Ａ（９０Ａ１〜９０Ａ３）の構成を示す図である。
【図１３】実施形態の出光側偏向部２２Ａ及び入光側偏向部２４Ａの形状の一例を示す図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート、フィルム等の言葉は、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。
さらに、本明細書中に記載する各部材の寸法等の数値及び材料名等は、実施形態としての一例であり、これに限定されるものではなく、適宜選択して使用してよい。
【００１２】
（従来の配列型表示装置について）
まず、従来の配列型表示装置について説明する。
図１１は、従来の配列型表示装置９０を示す斜視図である。図１１に示す従来の配列型表示装置９０は、表示画面が矩形状であり、同サイズである４つの表示装置９０Ａ，９０Ｂ，９０Ｃ，９０Ｄを備えており、それらの画像を表示可能な表示部９１Ａ，９１Ｂ，９１Ｃ，９１Ｄが１つの平面上に位置するように、縦横に２個ずつ配列されている。
なお、表示装置９０Ａ〜９０Ｄは、背面投射型表示装置や、プラズマ表示装置、液晶表示装置、有機ＥＬ表示装置（有機ＬＥＤ表示装置）や、その他の表示装置等が使用されている。また、配列型表示装置９０を形成する表示装置の数は、図１１に示すような４つに限らず、２つや、６つや８つ等としているものもある。
【００１３】
図１２は、従来の配列型表示装置９０に用いられる表示装置９０Ａ（９０Ａ１〜９０Ａ３）の構成を示す図である。図１２では、代表として、表示装置９０Ａ（９０Ａ１〜９０Ａ３）のみを示し、かつ、表示装置９０Ａ（９０Ａ１〜９０Ａ３）の表示画面（表示部９１Ａ）に法線方向に平行な断面の一部を示している。
図１２（ａ）は、表示装置として背面投射型表示装置が用いられる例を示し、図１２（ｂ）は、表示装置としてプラズマ表示装置、液晶表示装置、有機ＥＬ表示装置（有機ＬＥＤ表示装置）等が用いられる例を示し、図１２（ｃ）は、表示装置として用いられるプラズマ表示装置、液晶表示装置、有機ＥＬ表示装置（有機ＬＥＤ表示装置）等の図１２（ｂ）とは異なる形状の例を示している。
背面投射型表示装置である表示装置９０Ａ１は、図１２（ａ）に示すように、背面投射型スクリーン９１を保持するための枠構造９２を備えている。背面投射型スクリーン９１の観察者側表面の周縁部は、この枠構造９２の観察者側の枠部材９２ａに被覆される。従って、その領域は、画像が表示できない非表示部（継目部分）になる。
【００１４】
また、図１２（ｂ）に示すように、プラズマ表示装置、液晶表示装置、有機ＥＬ表示装置等である表示装置９０Ａ２は、表示パネル９３を保持するための枠構造９４を備えている。表示パネル９３の観察者側表面は、枠構造９４の観察者側の枠部材９４ａによりその周縁部が被覆され、その領域が非表示部（継目部分）となる。
さらに、図１２（ｃ）に示すように、プラズマ表示装置、液晶表示装置、有機ＥＬ表示装置等である表示装置９０Ａ３は、表示パネル９５の端面に保持部材９６を接着し、保持部材９６の幅を狭くする構成としている。しかし、表示パネル９５では、その周縁部分に電極部や配線部等を設ける領域９７を設ける必要がある。従って、その領域９７となる部分が、非表示部となる。
【００１５】
そのため、図１１に示すように、表示装置９０Ａ〜９０Ｄのそれぞれの表示部９１Ａ〜９１Ｄの外周側には、画像を表示できない非表示部９２Ａ〜９２Ｄが存在する。
このような従来の配列型表示装置９０に画像を表示すると、各表示装置９０Ａ〜９０Ｄの間の非表示部９２Ａ〜９２Ｄが継目のように暗線として認識され、画像の連続性、視認性を著しく損ない、画質の低下が生じるという問題があった。
本発明は、これを改善し、画像の連続性があり、良好な視認性を有する配列型表示装置とするものである。
【００１６】
（実施形態）
図１は、本実施形態の配列型表示装置１００を説明する図である。
図２は、本実施形態の配列型表示装置１００が備える表示装置１０Ａ及び透明板２０Ａを説明する図である。図２（ａ）は、図１に示す矢印Ａ１−Ａ２に沿って配列型表示装置１００の厚み方向に平行に切断した断面を示した図である。図２（ｂ）は、表示装置１０Ａを観察者側正面方向から見た平面図である。図２（ｃ）は、透明板２０Ａを観察者側正面方向から見た平面図であり、図２（ｄ）は、透明板２０Ａを表示装置１０Ａ側正面方向から見た平面図である。なお、理解を容易にするために、図２（ｂ），（ｃ），（ｄ）では、代表として表示装置１０Ａ，透明板２０Ａのみを示しているが、他の表示装置１０Ｂ〜１０Ｄ及び透明板２０Ｂ〜２０Ｄでも表示装置１０Ａ及び透明板２０Ａと同様の形状を有している。
本実施形態の配列型表示装置１００は、表示装置部１０と、透明板部２０とを備えている。この透明板部２０は、表示装置部１０の観察者側に設けられており、本実施形態では、透明板部２０と表示装置部１０との間に設けられた不図示の接合層を介して表示装置部１０に一体に接合されている。透明板部２０と表示装置部１０とを接合する接合層は、光透過性が高く、透明板部２０と屈折率が等しく（もしくは屈折率差が略無いに等しく）、光学的に等価であるものを用いることが好ましい。
【００１７】
表示装置部１０は、図１に示すように、映像を表示する表示装置が複数配列されて形成される部分である。本実施形態の表示装置部１０は、表示装置１０Ａ〜１０Ｄが、その映像を表示可能な表示部１１Ａ〜１１Ｄの観察側表面（表示面）が１つの平面上に位置するように互いに隣接して配列されている。
また、表示装置１０Ａ〜１０Ｄは、縦横（使用状態における配列型表示装置の画面上下方向及び画面左右方向）に２つずつ配列されている。なお、配列型表示装置１００を形成する表示装置の数は、所望される画面サイズの大きさ等に伴い変更可能であり、４つに限らず、２つとしてもよいし、６つや８つ等としてもよい。
【００１８】
図２（ｂ）に示すように、表示装置１０Ａは、その表示部１１Ａの表示面の法線方向（表示装置１０Ａの観察者側正面方向）から見て、映像を表示可能な表示画面となる表示部１１Ａと、表示部１１Ａの周囲に位置し、枠部材や電極部等によって映像を表示できない非表示部１２Ａとを有する。
本実施形態では、表示部１１Ａは、略矩形状であり、その外周側に表示部１１Ａに隣接して非表示部１２Ａが位置している。なお、表示装置１０Ａを挙げて説明したが、他の表示装置１０Ｂ〜１０Ｄも同様の形状である。
この表示装置１０Ａ〜１０Ｄは、プラズマ表示装置、液晶表示装置、有機ＥＬ表示装置（有機ＬＥＤ表示装置）等としてもよいし、背面投射型表示装置としてもよい。
【００１９】
透明板部２０は、表示装置部１０の表示画面の観察者側に配置された透明な略平板状の部材である。この透明板部２０は、図１に示すように、透明板２０Ａ〜２０Ｄが、縦横（使用状態における配列型表示装置の画面上下方向及び画面左右方向）に２つずつ隣接して配列され、略平板状となっている。
透明板部２０の透明板２０Ａ〜２０Ｄは、光透過性の高い部材を用いて形成されることが好ましく、透明な部材を用いることが好ましい。透明板２０Ａ〜２０Ｄの材料としては、ポリカーボネート（ＰＣ）樹脂、アクリル系樹脂、スチレン樹脂、オレフィン系樹脂、ガラス、セラミック等を適宜選択して用いることができる。また、透明板２０Ａ〜２０Ｄは、前述の材料を用いて、射出成形法、キャスト成形法等により形成される。
【００２０】
この透明板２０Ａ，２０Ｂ，２０Ｃ，２０Ｄは、それぞれ、表示装置１０Ａ，１０Ｂ，１０Ｃ，１０Ｄの観察者側に、各表示装置に対応する位置に配置されている。また、配列型表示装置１００の画面の正面方向から見て、透明板２０Ａ〜２０Ｄの大きさは、それぞれ、対応する表示装置１０Ａ〜１０Ｄの大きさに一致している。
この透明板２０Ａ〜２０Ｄは、いずれも、略平板状の部材である。
図２（ｃ）に示すように、透明板２０Ａの観察者側（出光側）の面は、平面部２１Ａと、平面部２１Ａよりも外周側に位置する出光側偏向部２２Ａとを備えている。また、図２（ｄ）に示すように、透明板２０Ａの表示装置部１０側（入光側）の面は、平面部２３Ａと、平面部２３Ａよりも外周側に位置する入光側偏向部２４Ａと、入光側偏向部２４Ａよりも外周側に位置し、非表示部１２Ａに対応する領域に設けられた接合部２５Ａとを有している。
側面２７Ａは、図２（ａ）に示すように、厚み方向に平行であり、平面部２１Ａ，２３Ａに直交する。
なお、透明板２０Ａを例に挙げて説明したが、他の透明板２０Ｂ〜２０Ｄも同様の形状を有している。
【００２１】
本実施形態では、図１等に示すように、出光側偏向部２２Ａ〜２２Ｄは、正面方向（平面部２１Ａ〜２１Ｄの法線方向）から見て、透明板２０Ａ〜２０Ｄの観察者側の面の画面上下端部及び画面左右端部に位置している。また、透明板２０Ａ〜２０Ｄの表示装置部１０側の面の画面上下端部及び画面左右端部には、接合部２５Ａ〜２５Ｄが位置し、その内周側に隣接して入光側偏向部２４Ａ〜２４Ｄが形成される。また、本実施形態では、図１〜図３に示すように、出光側の平面部２１Ａ〜２１Ｄ及び入光側の平面部２３Ａ〜２３Ｄは、その大きさが表示部１１Ａ〜１１Ｄよりもやや小さい形態となっている。
【００２２】
図３は、本実施形態の配列型表示装置１００の断面図である。この図３では、図１に示すＡ１−Ａ２ラインに沿って配列型表示装置１００の厚み方向に平行に切断した断面の一部を拡大し、理解を容易にするために、表示装置１０Ａ及び透明板２０Ａのみを示し、かつ、表示装置１０Ａの構成に関しては大幅に簡略化して示している。この図３に示す断面は、図中に示す出光側偏向部２２Ａに隣接し、この出光側偏向部２２Ａと長手方向が平行な側面２７Ａと、表示部１１Ａの表示面とに直交する断面である。
なお、図３及び後述の図４〜図７においては、表示装置１０Ａ及び透明板２０Ａの１つの辺の断面のみを示しているが、その四辺において同様の形状である。また、以下の説明においては、理解を容易にするために、表示装置１０Ａ及び透明板２０Ａを挙げて説明するが、特に断りがある場合を除いて、他の表示装置１０Ｂ〜１０Ｄ及び透明板２０Ｂ〜２０Ｄにおいても同様の形状であるとする。
【００２３】
透明板２０Ａの出光側の平面部２１Ａは、表示部１１Ａの表示面（観察者側の面）に平行な面である。この平面部２１Ａを正面方向から見た形状は、表示部１１Ａの表示面の形状に相似であり、本実施形態では、矩形状となっている。
出光側偏向部２２Ａは、平面部２１Ａよりも外周側に平面部２１Ａに隣接して設けられている（図１及び図２（ａ），（ｃ）参照）。
本実施形態の出光側偏向部２２Ａは、観察者側に凸となる曲面であり、その表面上の任意の点における接平面が表示部１１Ａの表示面に平行な面（平面部２１Ａに平行な面）となす角度γ２は、透明板２０Ａの外周側に向かうにつれてしだいに大きくなっている。
また、出光側偏向部２２Ａは、透明板２０Ａの外周側となる位置の方が内周側（平面部２１Ａ側）よりも、表示装置１０Ａ側に位置するように形成されている。図３に示す断面において、出光側偏向部２２Ａの最も外周側となる点Ｔ１は、その厚み方向において最も表示装置１０Ａ側に位置する。
【００２４】
透明板２０Ａの入光側の平面部２３Ａは、表示部１１Ａの観察者側の面に平行な面である。この平面部２３Ａを正面方向から見た形状は、表示部１１Ａの表示面の形状に相似であり、本実施形態では、矩形状となっている。
入光側偏向部２４Ａは、平面部２３Ａよりも外周側に隣接し、かつ、表示部１１Ａの正面方向から見て表示部１１Ａの外周縁部に対応する領域に設けられている（図２（ｄ）参照）。本実施形態の入光側偏向部２４Ａは、観察者側に凸となる曲面であり、その表面上の任意の点における接平面が表示部１１Ａの表示面に平行な面（平面部２３Ａに平行な面）となす角度γ１は、外周側に向かうにつれてしだいに大きくなっている。
【００２５】
接合部２５Ａは、透明板２０Ａの表示装置１０Ａ側の面の最も外周側に位置し、入光側偏向部２４Ａよりも外周側であって非表示部１２Ａに対応する領域に位置し、表示装置部１０側に凸となるように設けられている。この接合部２５Ａの表示装置部１０側の面は、非表示部１２Ａの観察者側表面に平行となっている。
この接合部２５Ａと非表示部１２Ａとが接合層を介して接合されることにより、透明板２０Ａと表示装置１０Ａとが接合される。このとき、図２（ａ）及び図３に示すように、入光側偏向部２４Ａ及び平面部２３Ａと表示部１１Ａとの間には、所定の厚さで空気層２６Ａが形成されている。
本実施形態では、図３に示す断面における出光側偏向部２２Ａの幅は、Ｗ１であり、入光側偏向部２４Ａの幅は、Ｗ２であり、非表示部１２Ａの幅がＷである。また、出光側偏向部２２Ａの最も外周側（最も表示装置１０Ａ側）となる点Ｔ１から、接合部２５Ａの接合面までの厚み方向における寸法が、Ｈである。
【００２６】
ここで、出光側偏向部２２Ａ及び入光側偏向部２４Ａの偏向作用について説明する。
表示部１１Ａの平面部２３Ａに対応する領域から正面方向（表示面の法線方向）に出射した光Ｌ０は、図３に示すように、平面部２３Ａに入射して透明板２０Ａを透過し、平面部２１Ａから正面方向へ出射する。
一方、表示部１１Ａの表面の外周側（非表示部１２Ａ側）端部であり、入光側偏向部２４Ａに対応する領域である領域Ａから表示面に垂直に出射した光Ｌ１，Ｌ２は、図３に示す断面において、入光側偏向部２４Ａに入射して、空気層２６Ａと入光側偏向部２４Ａとの界面で外周側に屈折して透明板２０Ａ内を透過し、出光側偏向部２２Ａに入射する。そして、光Ｌ１，Ｌ２は、出光側偏向部２２Ａと空気との界面で屈折して、表示装置１０Ａの中心側（表示部１１Ａ側）に曲げられて、表示部１１Ａの表面に対して垂直な方向に進む。このため、この表示装置１０Ａを観察側の正面方向から観察すると、透明板２０Ａ全体に画像が表示されているように観察され、非表示部１２Ａが視認されない。
【００２７】
また、入光側偏向部２４Ａは、上述のように、外周側に向かうほど角度γ１が大きくなっているので、表示部１１Ａから垂直に出射して入光側偏向部２４Ａに入射した光は、入光側偏向部２４Ａの外周側に入射するほど、より外周側（非表示部側）へ屈折して透明板２０Ａを透過する。また、出光側偏向部２２Ａは、上述のように、外周側に向かうほど角度γ２が大きくなっているので、入光側偏向部２４Ａで外周側へ偏向された光は、出光側偏向部２２Ａの外周側に入射するほど、より表示部１１Ａ側へ偏向され、表示面の法線方向（正面方向）へ出射する。
以上のことから、領域Ａに表示される映像が、出光側偏向部２２Ａに拡大表示されたように視認されるので、透明板２０Ａを通して観察される映像は、その観察者側の面の全領域にわたって連続した画像であり、非表示部１２Ａによる継目部分のない良好な画像として認識される。
【００２８】
図４は、本実施形態の出光側偏向部２２Ａ及び入光側偏向部２４Ａの形状について詳しく説明する図である。この図４及び後述する図５〜図７は、図３に示す断面と同様の断面を示している。
表示部１１Ａから、表示部１１Ａの表面（表示面）に対して垂直に出射して、入光側偏向部２４Ａに入射する光Ｌ３が、出光側偏向部２２Ａから表示部１１Ａに対して垂直方向（正面方向）に出射するためには、光Ｌ３の入光側偏向部２４Ａの入射点における接平面が表示部１１Ａに平行な面となす角度γ１と、光Ｌ３の出光側偏向部２２Ａに入射する点（出射点）の接平面が表示部１１Ａに平行な面となす角度γ２とが等しくなることが望ましい。
γ１＝γ２を満たすとき、光Ｌ３の入光側偏向部２４Ａでの屈折角α１と、出光側偏向部２２Ａへの入射角α２とが等しくなる。そのため、入光側偏向部２４Ａへの入射角β１と出光側偏向部２２Ａからの出射角β２が等しくなり、入光側偏向部２４Ａへの入射時の光Ｌ３の進行方向（正面方向）と、出光側偏向部２２Ａから出射時の光の進行方向とが等しくなり、光Ｌ３が表示面の正面方向へ出射する。
従って、γ１＝γ２を満たすように、図４に示す断面において入光側偏向部２４Ａ及び出光側偏向部２２Ａが形成する曲線を設計し、透明板２０Ａの材料の屈折率を選択することが望ましい。
【００２９】
また、非表示部１２Ａによる継目部分の視認を低減して画像の連続性を向上させる観点から、非表示部１２Ａと出光側偏向部２２とは適切な距離を有していることが好ましい。
図５は、本実施形態の透明板２０Ａの外周側端部における寸法Ｈを説明する図である。
この図５に示す断面において、非表示部１２Ａと透明板２０Ａの境界部、即ち、入光側偏向部２４Ａの最も外周側となる点をＴ２点とする。また、点Ｔ２を通り表示部１１Ａの表示面に平行な平面と、点Ｔ１を通り表示部１１Ａの表示面に垂直な直線との交点を点Ｔ３とする。このとき、点Ｔ１と点Ｔ３の距離（本実施形態では、点Ｔ１から、接合部２５Ａの接合面までの厚み方向における寸法に等しい）をＨとし、点Ｔ２と点Ｔ３の距離（本実施形態では、非表示部１２Ａの幅に等しい）をＷとする。
【００３０】
点Ｔ２へ入射した光Ｌ４が、透明板２０Ａ内を透過して点Ｔ１から表示部１１Ａの表示面の法線方向へ出射するとき、透明板２０Ａ内を透過する光Ｌ４が表示面に平行な面となす角度をθ（０°≦θ≦９０°）とすると、寸法Ｈは、以下の式１を満たすことが好ましい。
Ｈ＝Ｗ×ｔａｎθ  ・・・（式１）
このとき、角度θは、点Ｔ２における接平面の法線Ｎが、表示部１１Ａに平行な平面となす角度εと、表示部１１Ａから法線方向へ出射して点Ｔ２で透明板２０Ａへ入射する光Ｌ４の屈折角αとの和に等しく、θ＝（ε＋α）である。
【００３１】
この（式１）が満たされるとき、表示部１１Ａの最外周となる点Ｔ２から出射する光Ｌ４が、図５に示すように、透明板２０Ａの最も外周側となる点Ｔ１から出射する。従って、透明板２０Ａ全体に画像が表示され、非表示部１２Ａが視認されない。
また、この（式１）を満たすならば、表示部１１の外周縁部から出射した光が、例えば、隣接する透明板２０Ｄから出射するといったことがなく、隣接した表示装置１０Ｄ等に表示される画像との連続性も損なわれることがない。従って、単独の表示装置に表示される画像となんら遜色のない画像を、配列型表示装置１００により表示することができる。
【００３２】
上述のような条件を満たすので、本実施形態の配列型表示装置１００は、個々の透明板２０Ａ〜２０Ｄの観察側の面の全面にわたって連続した画像が表示され、個々の表示装置１０Ａ〜１０Ｄ間の非表示部１２Ａ〜１２Ｄによる継目部分が視認されない。従って、本実施形態の配列型表示装置１００は、単独の表示装置に表示される画像となんら遜色のない、良好な映像を画像を表示できる。
【００３３】
図６は、本実施形態の出光側偏向部２２Ａに表示される画像の拡大率について説明する図である。
入光側偏向部２４Ａに対して、表示部１１Ａの表示面の法線方向に平行な方向から入射する光を出射する表示部１１Ａの領域Ａに表示される画像は、表示部１１Ａのそれ以外の部分に表示される画像より縮小されていることが望ましい。
領域Ａから表示面の法線方向に出射する光によって表示される画像は、入光側偏向部２４Ａ及び出光側偏向部２２Ａにより画像が拡大される。従って、出光側偏向部２２Ａに表示される画像が平面部２１Ａに表示される画像に対して伸び縮みしておらず、透明板２０Ａの観察者側の面全面にわたって、連続性が高く、ゆがみ等のない画像を表示するためには、領域Ａに表示される画像は他の部分表示される画像よりも縮小されている必要がある。従って、領域Ａに表示される画像の縮小率は、拡大率の逆数であることが好ましい。
【００３４】
ここで、領域Ａと、透明板２０Ａの端面２７Ａ及び表示部１１Ａの表面に垂直な平面とが交わる幅（即ち、図６に示す領域Ａの幅であって、入光側偏向部２４Ａの幅に等しい）をＷ２とする。また、出光側偏向部２２Ａから表示面の正面方向に出射する光と、透明板２０Ａの端面２７及び表示部１１Ａに垂直な平面とが交わる幅（即ち、図６に示す出光側偏向部２２Ａの幅）をＷ１とする。このとき、拡大率がＷ１／Ｗ２となるので、縮小率は、Ｗ２／Ｗ１とすることが望ましい。
さらに、出光側偏向部２２Ａに表示される画像は、上述のように拡大されているので、領域Ａでの輝度に比べて、Ｗ２／Ｗ１倍に輝度が低下する。そこで、領域Ａに表示される画像の輝度を、表示部１１Ａの他の部分が表示する画像の輝度よりもＷ１／Ｗ２倍に高くすることが望ましい。このような輝度とすることにより、透明板２０Ａに表示される画像の輝度が全体に均一になる。
【００３５】
出光側偏向部２２Ａ及び入光側偏向部２４Ａによって、画像が上述のような拡大率で拡大されるとき、出光側偏向部２２Ａの幅方向における位置によらず、画像が均等に拡大されることが好ましい。以下に、出光側偏向部２２Ａ及び入光側偏向部２４Ａの幅方向において均等に画像が拡大されるような出光側偏向部２２Ａ及び入光側偏向部２４Ａの設計方法を説明する。
図７は、本実施形態の出光側偏向部２２Ａ及び入光側偏向部２４Ａの設計方法を説明する図である。
一般的に、曲線を設計する際には、曲線を微少な線分の集合体として設計することが可能である。そこで、図３等に示すような断面において、出光側偏向部２２Ａ及び入光側偏向部２４Ａの各曲面が示す曲線を、微小な線分の集合体として設計する。
【００３６】
まず、入光側偏向部２４Ａの最外周となる点Ｔ２を起点とし、この最外周となる点Ｔ２＝Ｔ２（１）とした。この点Ｔ２（１）から表示部１１Ａに平行な平面とγ１（１）の角度をなし、表示部１１Ａ側（内周側）に進む直線２４Ａ（１）を延ばす。
ここで、角度γ１（１）があまり小さすぎると、点Ｔ２と点Ｔ１との間の厚み方向の距離Ｈが大きくなりすぎる。角度γ１（１）が大きすぎると、表示部１１Ａから表示面に垂直な方向に出射して点Ｔ２（１）に入射して屈折された光が、出光側偏向部２２Ａで全反射されて観察側に出射しなくなる。従って、角度γ１（１）は、５０〜７０°とすることが好ましく、６０°前後とすることがより好ましい。図７ではγ１（１）＝６５°として示している。
【００３７】
次に、入光側偏向部２４Ａの幅Ｗ２を所定の個数に分割する。このとき、曲線が線分の集合体として視認でされず、曲線として認識されることが好ましいので、分割された１つの幅の寸法は、１００μｍ程度以下となるように分割することが好ましい。従って、例えば、幅Ｗ２の値が数ｍｍ程度である場合には、１００分割以上とすることが好ましい。
ここで、幅Ｗ２を分割した１つの幅の長さをＷＰとする。Ｔ２（１）から表示部１１Ａに平行に表示部１１Ａ側にＷＰだけ進んだ点を、点ＷＡ（２）とする。なお、同じ点おける角度等の様々な量の引数（（  ）の中の数字）を同じにするため、ＷＡ（１）ではなく、ＷＡ（２）とする。
点ＷＡ（２）から表示部１１Ａの表示面に対して直交する直線を延ばす。この直線と前述の直線２４Ａ（１）との交点を点Ｔ２（２）とする。そして、入光側偏向部２４Ａの起点Ｔ２（１）からの線分をＴ２（１）とＴ２（２）を結ぶ線分２４Ａ（１）とする。なお、煩雑さを避け、理解を容易にするために、直線とそれの一部である微小な線分とは、同一の符号を付して説明する。
【００３８】
次に、出光側偏向部２２Ａの最も外周側の線分を設計する。まず、出光側偏向部２２Ａの起点となる最外周側の点Ｔ１（１）は、角度γ１（１）と非表示部１２Ａの幅Ｗとによって決まる。
即ち、表示部１１Ａから表示部１１Ａの表面に対して垂直方向に出射してこの線分２４Ａ（１）に入射する光は、線分２４Ａ（１）で屈折し、表示部１１Ａに平行な平面と次式で示される角度θ（１）をなす方向に進む。この角度θ（１）は、透明板２０Ａの屈折率をＮとするとき、以下の式で表される。
θ（１）＝９０°−γ１（１）＋ａｒｃｓｉｎ（（ｓｉｎ（γ１（１）））／Ｎ）
従って、表示部１１Ａから、表示部１１Ａの表示面に対して垂直方向に出射して、Ｔ２（１）に入射する光は、透明板２０Ａ内において線分Ｋ（１）に示される光路を進む。ここで、この光は、透明板２０Ａ内において、外周側に非表示部１２Ａの幅Ｗだけ進む間に、表示部１１Ａの表示面に対して垂直な方向には、前述の距離Ｈだけ出光側へ進む。このとき、距離Ｈは、前述の（式１）により、以下の式で表される。
Ｈ＝Ｗ×ｔａｎ（θ（１））
【００３９】
点Ｔ２から、表示部１１Ａに対して垂直な方向に距離Ｈ、外周側に非表示部１２Ａの幅Ｗだけ進んだ点を、出光側偏向部２２Ａの起点Ｔ１（１）とする。
次に、出光側偏向部２２Ａの起点Ｔ１（１）からの線分を定める。
前述の図４及びその説明において示すように、角度γ１（１），γ２（１）とは、等しいこと（γ１（１）＝γ２（１））が、ゆがみのない良好な映像を表示する観点から好ましい。ここで、角度γ１（１），γ２（１）は、以下の通りである。
角度γ１（１）：表示部１１Ａから表示部１１Ａの表示面に対して垂直に出射した光の入光側偏向部２４Ａに対する入射点における接平面が、表示部１１Ａの表示面に平行な平面となす角度。
角度γ２（１）：その光が出光側偏向部２２Ａに入射する点の接平面が、表示部１１Ａの表示面に平行な平面となす角度。
【００４０】
従って、点Ｔ１（１）から、角度γ１（１）と同じ角度である角度γ２（１）をなす方向に直線２２Ａ（１）を延ばす。次に、Ｔ１（１）から表示部１１Ａに平行な方向に表示部側に、幅ＷＱだけ進んだ点を点ＷＢ（２）とする。
この幅ＷＱは、ＷＱ＝ＷＰ×Ｗ１／Ｗ２という式で表される。このとき、出光側偏向部２２Ａに表示される画像の拡大率がＷ１／Ｗ２である。幅ＷＱをこの式を満たすものとすることにより、入光側偏向部２４Ａの幅方向全域に入射した光が出光側偏向部２２Ａの幅方向全域から均等に拡大されてから出光することができ、ゆがみのない画像を表示できる。
そして、点ＷＢ（２）から表示部１１Ａの表示面に垂直な方向に直線を延ばし、この直線と直線２２Ａ（１）との交点をＴ１（２）とし、出光側偏向部２２Ａの起点Ｔ１（１）とＴ１（２）を結んだ線分を線分２２Ａ（１）とする。
【００４１】
次に、入光側偏向部２４Ａの点Ｔ２（２）から内周側に伸びる線分２４Ａ（２）を定める。
上述のように、出光側偏向部２２Ａに表示される画像の拡大率がＷ１／Ｗ２である。従って、点Ｔ２（２）に入射して、点Ｔ２（２）から次に延びる線分２４Ａ（２）によって屈折した光が、点Ｔ１（２）に入射するように線分２４Ａ（２）を設定すればよい。
そこで、表示部１１Ａから表示部１１Ａの表示面に垂直な方向に出射した光が、線分２４Ａ（２）で屈折されて、点Ｔ２（２）と点Ｔ１（２）を結ぶ線分Ｋ（２）に示される光路を進むように、角度γ１（２）及び角度θ（２）を設定すればよい。
従って、表示部１１Ａの表示面に平行な平面と角度γ１（２）をなす方向に直線２４Ａ（２）を延ばす。このとき、直線２４Ａ（２）に入射した光が、透明板２０Ａ内で表示部１１Ａに平行な面となす角度をθ（２）とし、透明板２０Ａの屈折率をＮとするとき、角度γ１（２），角度θ（２）は、以下の式を満たす。
θ（２）＝９０°−γ１（２）＋ａｒｃｓｉｎ（（ｓｉｎ（γ１（２）））／Ｎ）
【００４２】
次に、点ＷＡ（２）から表示部１１Ａに平行に表示部側に幅ＷＰだけ進んだ点を点ＷＡ（３）とし、その点ＷＡ（３）から表示部１１Ａに垂直に延ばした直線と直線２４Ａ（２）との交点を点Ｔ２（３）とし、点Ｔ２（２）と点Ｔ２（３）を結ぶ線分を線分２４Ａ（２）とする。
以降は、前述の線分２４Ａ（１）から線分２２Ａ（１）を定めたのと同様に、この線分２４Ａ（２）から線分２２Ａ（２）を定め、線分２２Ａ（１）から線分２４Ａ（２）を定めたのと同様に、線分２２Ａ（２）から線分２４Ａ（３）を定める。
そして、これらの工程を繰り返し、次々に各線分を定めていけば、図３に示す断面において、入光側偏向部２４Ａと出光側偏向部２２Ａに相当する微小な線分の集合体を求めることができる。
そして、図３に示す断面において、上述の方法により設計された微小な線分の集合体によって近似される曲線をなす曲面である入光側偏向部２４Ａ及び出光側偏向部２２Ａとすることにより、画像が幅方向において均等にＷ１／Ｗ２倍に拡大される良好な映像を表示できる。
【００４３】
図１３は、本実施形態の出光側偏向部２２Ａ及び入光側偏向部２４Ａの形状の一例を示す図である。
この図１３は、図３等に示す断面における出光側偏向部２２Ａ及び入光側偏向部２４Ａの形成する曲線を近似した微小な線分の集合体の一例を示している。これらの微小な線分の集合体は、上述の算出方法により算出される。図１３（ａ）は、図３に示す断面における出光側偏向部２２Ａの形成する曲線を近似した微小な線分の集合体であり、図１３（ｂ）は、図３に示す断面における入光側偏向部２４Ａの形成する曲線を近似した微小な線分の集合体である。図１３において、縦軸は、透明板２０Ａの厚み方向における寸法を非表示部１２Ａの幅Ｗを３としたときの値で示し、横軸は、出光側偏向部２２Ａ及び入光側偏向部２４Ａの幅方向の分割数であり、最大値は５００である。
【００４４】
この図１３に例示する曲線は、以下のような条件の場合に上述の算出方法により算出されたものである。
・入光側偏向部２４Ａの幅Ｗ２の分割数（線分２４Ａの数）５００（即ち、出光側偏向部２２Ａの幅Ｗ１の分割数（線分２２Ａの数）も５００）
・入光側偏向部２４Ａの起点Ｔ２（１）において、線分２４Ａ（１）が表示部に平行な平面となす角度γ１（１）＝６０°
・拡大率Ｗ１／Ｗ２＝３．０
・透明板２０Ａの屈折率１．４９
・非表示部１２Ａの幅Ｗと入光側偏向部２４Ａの幅Ｗ２の比Ｗ／Ｗ２＝２．０。
図３に示す断面において、図１３に示すような線分の集合体によって近似される曲線を示す出光側偏向部２２Ａ及び入光側偏向部２４Ａとすることにより、出光側偏向部２２Ａから出光する光は、正面方向へ出射し、ゆがみのない画像の連続性の高い良好な配列型表示装置とすることができる。
【００４５】
上述のような形状を有する透明板２０Ａ〜２０Ｄを備える透明板部２０、及び、表示装置１０Ａ〜１０Ｄを備える表示装置部１０を有する配列型表示装置１００であるので、画像の連続性が高く、非表示部が視認されない良好な映像を表示することができる。
また、透明板に複雑なレンズ形成等が不要であり、上述のような良好な映像表示できる配列型表示装置１００を容易に構成できる。
【００４６】
図８は、別の実施形態の配列型表示装置１００を説明する図である。図８では、前述の図３〜図７に示す断面に相当する断面を示している。
別の実施形態である配列型表示装置１００は、透明板２０Ａに形成される出光側偏向部４２Ａ及び入光側偏向部４４Ａが、曲面ではなく、幅方向に配列された複数斜面（平面）からなる折れ面状である点が異なる以外は、前述の第１実施形態の配列型表示装置１００と同様の形態である。
従って、同様の機能を果たす部分には、同一の符号又は末尾に同一の符号を付して重複する説明を適宜省略する。また、理解を容易にするために、表示装置１０Ａ及び透明板２０Ａのみを挙げて説明するが、図示しない他の表示装置１０Ｂ〜１０Ｄ及び透明板２０Ｂ〜２０Ｄについても同様の形態である。
【００４７】
図８に示すように、出光側偏向部４２Ａ及び入光側偏向部４４Ａは、複数の平面（斜面）によって構成されており、その各平面が、表示部１１Ａの表示面に平行な面となす角度γ４，γ３は、いずれも、出光側偏向部４２Ａ及び入光側偏向部４４Ａの幅方向において、外周側に向かうにつれてしだいに大きくなっている。
この出光側偏向部４２Ａ及び入光側偏向部４４Ａの複数の平面によって形成される形状は、いずれも、観察者側に凸となる曲面と近似することが可能である。
従って、この実施形態のような折れ面状の出光側偏向部４２Ａ及び入光側偏向部４４Ａを備える透明板部２０とする場合にも、前述の出光側偏向部２２Ａ及び入光側偏向部２４Ａを備える透明板部２０を備える実施形態の配列型表示装置１００と同様な効果を得ることができる。
【００４８】
（変形形態）
以上説明した各実施形態に限定されることなく、種々の変形や変更が可能であって、それらも本発明の範囲内である。
図９は、透明板２０Ａ〜２０Ｄの変形形態を示す図である。
図１０は、配列型表示装置１００の変形形態を説明する図である。
なお、図９及び図１０や以下の説明において、理解を容易にするために、透明板２０Ａや表示装置１０Ａを例に挙げて示しているが、透明板２０Ｂ〜２０Ｄや表示装置１０Ｂ〜１０Ｄにおいても同様に適用可能である。
（１）各実施形態において、出光側偏向部２２Ａ，４２Ａ及び入光側偏向部２４Ａ，４４Ａは、いずれも曲面状である例、又は、いずれも複数の平面（斜面）からなる形状である例を示したが、これに限らず、例えば、出光側偏向部２２Ａ，４２Ａ及び入光側偏向部２４Ａ，４４Ａは、一方を曲面状とし、他方を折れ面状としてもよい。
【００４９】
（２）各実施形態において、透明板２０Ａの出光側偏向部２２Ａ，４２Ａよりも表示装置部１０側の側面２７Ａ部分は、表示部１１Ａ〜１１Ｄの表示面（観察者側の表面）の法線方向に平行な平面状である例を示したが、これに限らず、曲面状としてもよいし、複数の平面等を組み合わせて形成される形状としてもよい。また、透明板２０Ａの出光側偏向部２２Ａよりも表示装置部１０側の側面２７Ａ部分には、反射層等を形成してもよい。なお、他の透明板２０Ｂ〜２０Ｄにおいても同様であるし、図８に示した別の実施形態である透明板２０Ａ〜２０Ｄにおいても同様である。
例えば、図９（ａ）に示すように、透明板２０Ａの出光側偏向部２２Ａよりも表示装置部１０側の側面２７Ａに、光を反射可能な反射層３０を形成してもよい。このような形状とすることにより、側面２７Ａに入射する光が反射され、一部が出光側偏向部２２Ａから出射するので、非表示部（継目部分）の視認性をさらに低減することができ、画像の連続性を向上させることができる。
この反射層３０は、その側面２７Ａ側に凹凸形状を有する形態としてもよい。このような形状とした場合には、側面２７Ａに入射する光が拡散反射されるため、側面２７Ａで反射されて出光側偏向部２２Ａから出射する光の量を増大させ、画像の連続性を向上させることができる。
【００５０】
また、図９（ｂ）に示すように、側面２７Ａの少なくとも一部を斜面２８Ａとしてもよいし、この斜面２８Ａ及び側面２７Ａに反射層３０を形成してもよい。
さらに、図９（ｃ）に示すように、側面２７Ａを曲面状とし、さらに反射層３０を形成してもよい。
なお、このとき、接合層３５Ａを図９（ｂ），（ｃ）に示すように形成して、透明板２０Ａと表示装置１０Ａとの接合度を高めてもよい。
このような形状とすることにより、側面２７Ａ及び斜面２８で反射して、出光側偏向部２２Ａから出射する光を増やすことができ、画像の連続性を向上させることができる。このとき、反射層３０は，上述のように、側面２７Ａ側に凹凸形状を有していてもよい。
なお、反射層３０に凹凸形状を賦形する例を例に挙げて説明したが、これに限らず、凹凸形状は、側面２７Ａ及び斜面２８Ａに形成してもよい。
【００５１】
（３）各実施形態において、透明板部２０は、複数の透明板２０Ａ〜２０Ｄが隣接して配列されて形成される例を示したが、これに限らず、１枚の板状の部材から形成してもよい。図１０（ａ）は、透明板部２０が１枚の板状の部材である場合の図１の矢印Ａ１−Ａ２での断面に相当する断面を模式的に示した図である。このような形状とすることにより、観察者には映像の表示される表示画面がより１つの画面として認識されやすくなり、より画像の連続性を高めることができる。
【００５２】
（４）各実施形態において、配列型表示装置１００は、表示装置１０Ａ〜１０Ｄ及び透明板２０Ａ〜２０Ｄが平面状に配列される例を示したが、これに限らず、例えば、図１０（ｂ）に示すように、表示画面が互いに角度をなすように各表示装置及び透明板を配列してもよい。このような形状とすることにより、配列型表示装置の利便性や意匠性を高め、観察者Ｏに対して、用途や環境に適した画像表示を行うことができる。
【００５３】
（５）各実施形態において、表示装置１０Ａ〜１０Ｄの表示部１１Ａ〜１１Ｄの表示面（観察者側の表面）が平面状である例を示したが、これに限らず、表示画面は、円筒面状や球面状等のように曲面状であってもよい。このような形態とする場合、透明板２０Ａ〜２０Ｄ（特に、平面部２１Ａ〜２１Ｄ，２３Ａ〜２３Ｄ）は、表示装置１０Ａ〜１０Ｄの表示部１１Ａ〜１１Ｄに追従した形状とすればよい。
【００５４】
（６）透明板２０Ａ〜２０Ｄは、適宜所望する光学性能等に応じて、内部に拡散剤を含有する形態としてもよいし、その表面にマット形状が形成されていてもよい。さらに、透明板２０Ａ〜２０Ｄの観察者側に、防眩層や、反射防止層、ハードコート層、防汚層、帯電防止層、紫外線吸収層、タッチパネル層等の各種機能を有する層を適宜設けてもよい。
【００５５】
（７）各実施形態において、配列型表示装置１００として複数の表示装置１０Ａ〜１０Ｄが配列され、それに対応した透明板２０Ａ〜２０Ｄが配列される例を示したが、これに限らず、例えば、通常の表示装置（例えば、１つの表示装置１０Ａを備えるもの）においても、透明板２０Ａを備えることにより、その枠部材等による非表示部の視認性を低減することができる。
【００５６】
なお、上述の実施形態及び変形形態は、適宜組み合わせて用いることもできるが、詳細な説明は省略する。また、本発明は、以上説明した実施形態等によって限定されることはない。
【符号の説明】
【００５７】
１００    配列型表示装置
１０    表示装置部
１０Ａ〜１０Ｄ    表示装置
１１Ａ〜１１Ｄ    表示部
１２Ａ〜１２Ｄ    非表示部
２０    透明板部
２０Ａ〜２０Ｄ    透明板
２１Ａ〜２１Ｄ    平面部
２２Ａ〜２２Ｄ，４２Ａ    出光側偏向部
２３Ａ，２３Ｄ    平面部
２４Ａ，２４Ｄ，４４Ａ    入光側偏向部
２５Ａ    接合部
２６Ａ    空気層
２７Ａ    側面
【図１】
2013200495.tif 000003
【図２】
2013200495.tif 000004
【図３】
2013200495.tif 000005
【図４】
2013200495.tif 000006
【図５】
2013200495.tif 000007
【図６】
2013200495.tif 000008
【図７】
2013200495.tif 000009
【図８】
2013200495.tif 000010
【図９】
2013200495.tif 000011
【図１０】
2013200495.tif 000012
【図１１】
2013200495.tif 000013
【図１２】
2013200495.tif 000014
【図１３】
2013200495.tif 000015